(57)【要約】【課題】簡単な作業でコンセントに取り付けることができると共に、差込みプラグの着脱を簡単に行うことができる盗電防止装置を提供する。【解決手段】差込みプラグＰの差込み口２３１を備えたコンセント部２３２と、差込み口２３１を露出させてコンセント部２３２を収納保持するハウジング２３３とを有するコンセント２００に取り付けられ、コンセント２００が無断使用されることを防止する盗電防止装置１において、後面が開放していると共に底面部１０ｅに開口１３が形成され、且つハウジング２３３に外嵌する形状になされた箱状のカバー部材１０と、カバー部材１０の底面部１０ｅの開口１３の左右両側の縁部に形成されたガイドレール１４と、ガイドレール１４にスライド自在に挿入されて開口１３を開閉する第１板状部材２０とを備えている。【選択図】図１
2010272265.tif 000002
【特許請求の範囲】
【請求項１】
差込みプラグの差込み口を備えたコンセント部と、該差込み口を露出させて該コンセント部を収納保持するハウジングとを有するコンセントに取り付けられ、該コンセントが無断使用されることを防止する盗電防止装置であって、
後面が開放していると共に底面部に開口が形成され、且つ前記ハウジングに外嵌する形状になされた箱状のカバー部材と、
前記カバー部材の底面部の開口の縁部に形成されたガイドレールと、
前記ガイドレールにスライド自在に挿入され、前記開口を開閉する板状部材とを備え、
前記カバー部材は、前記ハウジングに外嵌された場合に、前記底面部の開口が前記コンセント部の差し込み口に相対向するように形成され、
前記カバー部材が接着剤により前記ハウジングに接着固定され、前記板状部材が前記ガイドレールに挿入されることにより、前記差込み口が、該カバー部材および該板状部材で覆われるようになされていることを特徴とする盗電防止装置。
【請求項２】
前記カバー部材には、第１の貫通孔を有する第１フック部が形成され、
前記板状部材には、第２の貫通孔を有する第２フック部が形成され、
前記第１板状部材が前記ガイドレールに挿入されて前記開口を塞いだ場合に、前記カバー部材の第１フック部の第１の貫通孔と、前記板状部材の第２フック部の第２の貫通孔とが相対向して配置されるようになされていることを特徴とする請求項１に記載の盗電防止装置。
【請求項３】
前記板状部材には、前記コンセントの差込み口に差し込まれた差し込みプラグに接続された電源コードを挿通させるための切り欠きが形成されていることを特徴とする請求項１又は請求項２に記載の盗電防止装置。
【請求項４】
前記カバー部材は、前記コンセントに外嵌された際に、該コンセントを固定しているネジに相対向する位置に工具を挿通させるための作業用孔が設けられていることを特徴とする請求項１〜請求項３のうちのいずれか一項に記載の盗電防止装置。
【請求項５】
差込みプラグの差込み口を備えたコンセント部と、該差込み口を露出させて該コンセント部を収納保持するハウジングとを有する盗電防止機能付きのコンセントであって、
前記ハウジングは、
前記差込み口の前方および左右両側を取り囲み、且つ下端が開口している庇部と、
前記庇部の開口の縁部に形成されたガイドレールと、
前記ガイドレールにスライド自在に挿入され、前記開口を開閉する板状部材とを備え、
前記ガイドレールに前記板状部材を挿入することで、前記差込み口が、前記庇部および該板状部材で覆われるようになされていることを特徴とする盗電防止機能付きのコンセント。
【発明の詳細な説明】
【技術分野】
【０００１】
本発明は、コンセントの無断使用を防止するための盗電防止装置および盗電防止機能付きコンセントに関し、例えば、電気機器や電気自動車等の装置への電力供給のために屋外に設置されたコンセントの無断使用を防止するための盗電防止装置および盗電防止機能付きコンセントに関する。
【背景技術】
【０００２】
従来から、自動販売機等の装置に電力を供給するコンセントを無断で使用して、モバイル機器等の充電を行う所謂盗電行為が問題となっていた。
そして、上記の問題対策として、特許文献１には、屋外コンセントの無断使用を防止するための盗電防止装置が提案されている。
以下、特許文献１に記載されている盗電防止装置について、図８に基づいて説明する。
図８は、従来技術による屋外コンセント用の盗電防止装置の構成を示した模式図である。
【０００３】
図示するように、盗電防止装置１００は、屋外用のコンセント２００に取り付けられ、コンセント２００の無断使用を防止するようになされている。
なお、盗電防止装置１００が取り付けられる対象のコンセント２００は、屋外壁面等の構造物Ｗに固定される取付プレート２１０と、取付プレート２１０を覆う防水部材２２０と、コンセント本体２３０とを備えている。
なお、コンセント本体２３０は、差込みプラグ用の差込み口２３１を備えたコンセント部２３２と、差込み口２３１を下方に露出させてコンセント部２３２を収納・保持するハウジング２３３と備え、ネジにより取付プレート２１０に固定されている。
【０００４】
また、盗電防止装置１００は、差込み口２３１に差し込まれた差込みプラグＰを包囲する盗電防止カバー１１０と、取付プレート２１０に設けられたねじ孔２１６を利用して盗電防止カバー１１０をコンセント２００に着脱自在に止着するカバー止着手段１２０とを備えている。
また、カバー止着手段１２０は、コンセント本体２３０と盗電防止カバー１１０との間に介在される棒状スペーサ部材１２２と、棒状スペーサ部材１２２の後端部に螺合する押さえネジ１２４とを備えている。また、棒状スペーサ部材１２２の前端には、前記ネジ孔２１６に螺合するネジ部１２３が形成されている。
なお、押さえネジ１２４は、その頭部が専用工具（ねじ回し工具）にだけ嵌合する形状になされている。
【０００５】
また、盗電防止カバー１１０をコンセント２００に取り付ける場合、先ず、コンセント２００の取付プレート２１０のネジ孔２１６に螺合されているネジ（図示せず）を外し、そのネジ孔２１６に、棒状スペーサ部材１２２の前端のネジ部１２３を螺合させ固定する。
次に、押さえネジ１２４により、コンセント２００に固定された棒状スペーサ部材１２２に盗電防止カバー１１０を固定し、盗電防止カバー１１０を屋外コンセント２００に止着する。
そして、上記のようにコンセント２００に盗電防止装置１００を装着することにより、専用工具により押さえネジ１２４を外さない限り、差込み口２３１に差込みプラグＰを差し込むことができなくなるため、盗電行為を防止することができる。
【先行技術文献】
【特許文献】
【０００６】
【特許文献１】特開２００５−２５９４１１号公報
【発明の概要】
【発明が解決しようとする課題】
【０００７】
しかしながら、上述した従来技術の盗電防止装置は、コンセントに取り付ける作業が面倒であり、工事が不慣れなユーザにとり利用しづらいという技術的課題を有している。
具体的には、従来技術の盗電防止装置をコンセントに取り付ける場合、コンセントの取付プレートのネジ孔に棒状スペーサ部材を螺合させ、さらに、専用工具を用意して、押さえネジにより、当該棒状スペーサ部材に、盗電防止カバーを固定させる必要があり、その作業が面倒であった。特に、従来技術の盗電防止装置は、工事が不慣れなユーザにとり、利用しづらかった。
また、従来技術の盗電防止装置を取り付けたコンセントから、差込みプラグを引き抜いたり、或いは、新たに差込みプラグを差し込んだりする場合、コンセントから盗電防止装置を取り外す作業が必要となり面倒であった。例えば、コンセントで電気自動車等の装置を充電する場合に上記の盗電防止装置を利用すると、コンセントに差込みプラグを着脱する度に、盗電防止装置の着脱作業が発生していた。
【０００８】
本発明は、上記技術的課題を解決するためになされたものであり、本発明の目的は、簡単な作業でコンセントに取り付けることができると共に、差込みプラグの着脱を簡単に行うことができる盗電防止装置を提供することにある。
また、本発明の目的は、簡単な取り付け作業で盗電行為を防止できると共に、差込みプラグの着脱を簡単に行うことができる盗電防止機能を備えたコンセントを提供することにある。
【課題を解決するための手段】
【０００９】
上記課題を解決するためになされた本発明は、差込みプラグの差込み口を備えたコンセント部と、該差込み口を露出させて該コンセント部を収納保持するハウジングとを有するコンセントに取り付けられ、該コンセントが無断使用されることを防止する盗電防止装置であって、後面が開放していると共に底面部に開口が形成され、且つ前記ハウジングに外嵌する形状になされた箱状のカバー部材と、前記カバー部材の底面部の開口の縁部に形成されたガイドレールと、前記ガイドレールにスライド自在に挿入され、前記開口を開閉する板状部材とを備え、前記カバー部材は、前記ハウジングに外嵌された場合に、前記底面部の開口が前記コンセント部の差し込み口に相対向するように形成され、前記カバー部材が接着剤により前記ハウジングに接着固定され、前記板状部材が前記ガイドレールに挿入されることにより、前記差込み口が、該カバー部材および該板状部材で覆われるようになされていることを特徴としている。
【００１０】
本発明の盗電防止装置は、上記構成を採用することにより、カバー部材を接着材によりコンセントのハウジングに接着固定させ、そのカバー部材のガイドレールに板状部材を挿入するという簡単な作業により、コンセントに取り付けることができる。
すなわち、本発明の盗電防止装置は、工具（ドライバーやレンチ等）を使った作業が必要ないため、工事などに不慣れなユーザであっても、コンセントに簡単に取り付けることができ、コンセントが無断使用される所謂盗電行為を防止することができる。
また、本発明によれば、工具（ドライバーやレンチ等）を使った面倒な作業をすることなく、ガイドレールの板状部材をスライドさせることで、カバー部材の底面部の開口を開放して差込みプラグを着脱することができるため、使い勝手のよい盗電防止装置が提供される。
【００１１】
また、前記カバー部材には、第１の貫通孔を有する第１フック部が形成され、前記板状部材には、第２の貫通孔を有する第２フック部が形成され、前記第１板状部材が前記ガイドレールに挿入されて前記開口を塞いだ場合に、前記カバー部材の第１フック部の第１の貫通孔と、前記板状部材の第２フック部の第２の貫通孔とが相対向して配置されるようになされていることが望ましい。
この構成により、板状部材がガイドレールに挿入された場合、例えば、カバー部材の第１フック部の第１の貫通孔と、板状部材の第２フック部の第２の貫通孔とに鍵（例えば、南京鍵）を係止してロックすることができる。その結果、鍵を開けない限り、カバー部材から板状部材を取り外すことができなくなるため、コンセントが無断使用されることを防止することができる。
【００１２】
また、前記板状部材には、前記コンセントの差込み口に差し込まれた差し込みプラグに接続された電源コードを挿通させるための切り欠きが形成されていることが望ましい。
このように、板状部材に切り欠きを設けることにより、板状部材をガイドレールに挿入してカバー部材の開口を塞ぐ場合に、コンセントの差込み口に差し込まれた差込みプラグの電源コードの経路を確保することができる。
【００１３】
また、前記カバー部材は、前記コンセントに外嵌された際に、該コンセントを固定しているネジに相対向する位置に工具を挿通させるための作業用孔が設けられていることが望ましい。
このようにカバー部材に作業用孔を形成することにより、カバー部材をコンセントに接着固定した場合であっても、作業用孔に工具（例えば、ドライバー）を挿通させ、ネジを緩めて、コンセントを取り外すことができる（この場合、コンセントは、カバー部材が接着された状態で取り外される）。
【００１４】
また、上記課題を解決するためになされた本発明は、差込みプラグの差込み口を備えたコンセント部と、該差込み口を露出させて該コンセント部を収納保持するハウジングとを有する盗電防止機能付きのコンセントであって、前記ハウジングは、前記差込み口の前方および左右両側を取り囲み、且つ下端が開口している庇部と、前記庇部の開口の縁部に形成されたガイドレールと、前記ガイドレールにスライド自在に挿入され、前記開口を開閉する板状部材とを備え、前記ガイドレールに前記板状部材を挿入することで、前記差込み口が、前記庇部および該板状部材で覆われるようになされていることを特徴としている。
【００１５】
このように、本発明の盗電防止機能付きのコンセントは、上記構成を採用することにより、工具（ドライバーやレンチ等）を使った面倒な作業をすることなく、ガイドレールに板状部材を挿入して取り付けることにより、コンセントからの盗電行為を防止することができる。
【発明の効果】
【００１６】
本発明によれば、簡単な作業でコンセントに取り付けることができると共に、差込みプラグの着脱を簡単に行うことができる盗電防止装置を提供することができる。
また、本発明によれば、簡単な取り付け作業により盗電行為を防止できると共に、差込みプラグの着脱を簡単に行うことができる盗電防止機能を備えたコンセントを提供することができる。
【図面の簡単な説明】
【００１７】
【図１】本発明の第１実施形態の盗電防止装置と、盗電防止装置が取り付けられるコンセントとを示した斜視図である。
【図２】本発明の第１実施形態の盗電防止装置を構成するカバー部材の斜視図である。
【図３】図２に示すカバー部材の断面を示した模式図である。
【図４】本発明の第１実施形態の盗電防止装置が装着されたコンセントの断面を示した模式図である。
【図５】本発明の第１実施形態の盗電防止装置をコンセントに取り付ける作業の手順を示した模式図である。
【図６】本発明の第１実施形態の盗電防止装置の変形例を示した模式図である。
【図７】本発明の第２実施形態の盗電防止機能を備えたコンセントを示した斜視図である。
【図８】従来技術による屋外コンセント用の盗電防止装置の構成を示した模式図である。
【発明を実施するための形態】
【００１８】
以下、本発明の実施形態について図面に基づいて説明する。
先ず、本発明の第１実施形態のコンセント用の盗電防止装置の構成について図１〜図４に基づいて説明する。
図１は、本発明の第１実施形態の盗電防止装置と、盗電防止装置が取り付けられるコンセントとを示した斜視図である。また、図２は、本発明の第１実施形態の盗電防止装置を構成するカバー部材の斜視図である。
また、図３は、図２に示すカバー部材の断面を示した模式図であり、図３（ａ）は、図２のＡ‐Ａ断面を示した模式図であり、図３（ｂ）は、図２のＢ‐Ｂ断面を示した模式図である。また、図４は、本発明の第１実施形態の盗電防止装置が装着されたコンセントの断面を示した模式図である。
なお、第１実施形態の盗電防止装置を取り付ける対象となるコンセントには、上述した図８に示した周知の構造の屋外用のコンセントと同様のものを用いることとする。そのため、以下では、前記コンセントの構成には、図８と同じ符号を付して説明する。
【００１９】
具体的には、第１実施形態の盗電防止装置１は、差込みプラグＰ用の差込み口２３１を有するコンセント部２３２と、差込み口２３１を下方に露出させてコンセント部２３２を収納・保持するハウジング２３３と備えたコンセント２００に取り付けられて利用される。
【００２０】
具体的には、図１〜図４に示すように、盗電防止装置１は、後面が開放していると共に底面部１０ｅに開口１３が形成され、且つコンセント２００のハウジング２３３に外嵌する形状になされた箱状のカバー部材１０と、カバー部材１０の底面部１０ｅの開口１３の左右両側の開口縁部に形成されたガイドレール１４と、ガイドレール１４にスライド自在に挿入され、前記開口１３を開閉する第１板状部材２０とを備えている。
【００２１】
また、カバー部材１０は、接着材により、コンセント２００のハウジング２３３に接着固定されることにより、コンセント２００に取り付けられるようになされている。
なお、第１板状部材２０には、切り欠き２１ａ、２１ｂが形成されており、コンセント２００の差込み口２３１に差し込まれた差込みプラグＰに接続された電源コードＰａの配線経路が確保できるようになされている。
また、第１実施形態では、コンセント２００を利用しない場合を想定し、第１板状部材２０に代えて、切り欠きが形成されていない第２板状部材３０をガイドレール１４に挿入して取り付けることができるようになされている。
【００２２】
そして、カバー部材１０が、接着剤により、コンセント２００のハウジング２３３に接着固定され、且つ第１板状部材２０（又は第２板状部材３０）がガイドレール１４に挿入されて開口１３が塞がれることにより、コンセント２００の差込み口２３１の周囲が、カバー部材１０および第１板状部材２０（又は第２板状部材３０）により覆われるようになされている。
なお、盗電防止装置１は、どのような材料で形成されていてもかまわないが、例えば、合成樹脂により形成されている。
以下、盗電防止装置１を構成する各部の構造について詳細に説明する。
【００２３】
先ず、カバー部材１０の構造について説明する。
図１〜図４に示すように、カバー部材１０は、後面が開放していると共に、前面部１０ａ、左右の側面部１０ｂ、１０ｃ、上面部１０ｄ、および底面部１０ｅを備えた箱状に形成され、底面部１０ｅには、矩形状の開口１３が貫通している。
また、カバー部材１０の前面部１０ａ、両側面部１０ｂ、１０ｃ、および上面部１０ｄは、その内側面が、コンセント２００のハウジング２３３（図１参照）の外周面に嵌合する形状になされている。
【００２４】
また、カバー部材１０は、ハウジング２３３に外嵌された場合、その底面部１０ｅがハウジング２３３の下端部より下側に配置されると共に、底面部１０ｅの開口１３が、差込み口２３１に相対向するようになされている。
さらに、カバー部材１０の前面部１０ａには、工具（ドライバー等）を挿通させるための作業用孔１１、１２が貫通している。
【００２５】
また、カバー部材１０に形成された開口１３の左右両側の開口縁部には、カバー部材１０の前面部１０ａから後方に向けて延びるガイドレール１４が形成されている。また、ガイドレール１４は、第１板状部材２０（又は第２板状部材３０）の両側端部をスライド自在に支持するようになされている。
また、カバー部材１０の前面部１０ａの下端には、前方に向けて（底面部１０ｅと平行方向）に延びる板状の舌片（第１フック部）１５が形成されている。また、舌片１５には、孔１６が貫通している。
なお、上述の説明では、ガイドレール１４は、開口１３の左右両側の開口縁部に形成されているが、特にこれに限定されるものではない。例えば、ガイドレール１４は、開口１３の前後両側の開口縁部に形成されていてもかまわない。この場合、板状部材２０は、ガイドレール１４により、左右方向にスライド自在に支持され、開口１３を開閉するようになされる。
【００２６】
そして、図４に示すように、カバー部材１０がハウジング２３３に取り付けられた場合、前面部１０ａの作業用孔１１（又は作業用孔１２）が、コンセント本体２３０（図1参照）に取り付けられたネジ２４１（又はネジ２４２）に相対向するようになされている。
なお、コンセント本体２３０は、ネジ２４１およびネジ２４２により、取付プレート２１０に固定されている。
【００２７】
このようにカバー部材１０の前面部１０ａに作業用孔１１、１２を設けることにより、カバー部材１０をコンセント２００に接着固定した場合であっても、作業用孔１１、１２にドライバーを挿通させてネジ２４１、２４２を緩めて取り外すことができる。
すなわち、カバー部材１０の前面部１０ａに作業用孔１１、１２を設けることにより、カバー部材１０をコンセント２００に接着固定した後においても、ネジ２４１、２４２を緩めて、取付プレート２１０からコンセント本体２３０を取り外すことができる（この場合、コンセント本体２３０は、カバー部材１０が接着された状態で取り外される）。
【００２８】
次に、第１板状部材２０について説明する。
図１に示すように、第１板状部材２０は、前端部に板状の舌片（第２フック部）２２が形成され、その舌片２２には、カバー部材１０の舌片１５の孔１６と同様の大きさ寸法の孔２３が貫通している。
また、第１板状部材２０の舌片２２の孔２３は、図４に示すように、第１板状部材２０の後端部がガイドレール１４の後端部まで差し込まれた場合に、カバー部材１０の舌片１５の孔１６と相対向するようになされている。
【００２９】
この構成により、カバー部材１０の舌片１５の孔１６と、第１板状部材２０の舌片２２の孔２３とを利用して、例えば、鍵Ｒなどで係止してロックすることができる。その結果、鍵Ｒを開けない限り、カバー部材１０から板状部材２０を取り外すことができなくなるため、コンセント２００の無断使用を防止することができる。
【００３０】
また、第１板状部材２０は、後端部に長孔状の切り欠き２１ａ、２１ｂが形成されている。
このように、第１板状部材２０に切り欠き２１ａ、２１ｂを設けることにより、第１板状部材２０をガイドレール１４に挿入して、カバー部材１０の開口１３を塞ぐ場合に、コンセント２００の差込み口２３１に差し込まれた差込みプラグＰの電源コードＰａの経路を確保することができる。
【００３１】
次に、第２板状部材３０について説明する。
図１に示すように、第２板状部材３０は、切り欠きが設けられていない板状になされ、その前端部に第１板状部材の舌片２２と同様の舌片３２が形成されている。また、舌片３２には、舌片２２の孔２３と同様の孔３３が貫通している（なお、第２板状部材３０は、切り欠きが設けられていない以外は、第１板状部材２０と同様の形状に構成されている）。
そのため、第２板状部材３０をガイドレール１４に挿入して取り付けることにより、開口１３を完全に塞ぐことができる。
【００３２】
次に、構造物Ｗに設置されているコンセント２００に盗電防止装置１を取り付ける作業手順について、図５を用いて説明する。
図５は、本発明の第１実施形態の盗電防止装置をコンセントに取りつける作業手順を示した模式図であり、図５（ａ）は、コンセント２００にカバー部材１０が取り付けられる前の状態を示した模式図であり、図５（ｂ）は、コンセント２００にカバー部材１０が接着固定された状態を示した模式図であり、図５（ｃ）は、コンセント２００に接着固定したカバー部材１０に第１板状部材２０が取りつけられる前の状態を示した模式図であり、図５（ｄ）は、コンセント２００に接着固定したカバー部材１０に第１板状部材２０が取り付けられた状態を示した模式図である。
【００３３】
具体的には、図５（ａ）に示すように、ユーザ（作業者）は、コンセント２００のハウジング２３３（或いは、カバー部材１０の裏面）に接着剤Ｚを付け、カバー部材１０をハウジング２３３に外嵌させ、コンセント２００のハウジング２３３にカバー部材１０を接着固定させる。
そして、図５（ｂ）に示すように、カバー部材１０が接着固定されたコンセント２００の差込み口２３１（図１参照）に、差込みプラグＰを差し込む。
【００３４】
次に、図５（ｃ）に示すように、差込みプラグＰが差し込まれたコンセント２００に接着固定されているカバー部材１０のガイドレール１４に第１板状部材２０を挿入し、カバー部材１０に第１板状部材２０を取り付ける。この場合、切り欠き２１ａ、２１ｂ（図１参照）が形成されている後端部からガイドレール１４に挿入すると共に、差込みプラグＰに接続された電源ケーブルＰａを切り欠き２１ａ（又は切り欠き２１ｂ）に挿通させる。
これにより、カバー部材１０と、第１板状部材２０とにより、コンセント２００の差込み口２３１が取り囲まれる。
【００３５】
次に、図５（ｄ）に示すように、カバー部材１０に形成された舌片１５の孔１６（図１、図４参照）と、第１板状部材２０の舌片２２の孔２３（図１、図４参照）とに鍵（例えば、図示するような南京鍵）Ｒを取り付けて、鍵Ｒを閉めて作業を終了する。
これにより、鍵Ｒを開けて取り外さない限り、カバー部材１０から第１板状部材２０を取り外すことができなくなるため、コンセント２００が無断使用されることを防止することができる。
なお、第１実施形態では、鍵Ｒにより、カバー部材１０に第１板状部材２０をロックしているが、あくまでもこれは一例に過ぎない。カバー部材１０と第１板状部材２０とをロックできるものであれば、どのようなものでもかまわない。
【００３６】
このように、本発明の第１実施形態の盗電防止装置１は、カバー部材１０を接着材によりコンセント２００のハウジング２３３に接着固定させ、そのカバー部材１０のガイドレール１４に第１板状部材１０を挿入するという簡単な作業により、コンセント２００に盗電防止装置１を取り付けることができる。
すなわち、第１実施形態の盗電防止装置１は、工具（ドライバーやレンチ等）を使った作業が必要ないため、工事を使う作業に不慣れなユーザであっても、コンセント２００に取り付けることができる。
また、本発明の第１実施形態では、例えば、鍵Ｒを取り付けることにより、カバー部材１０から第１板状部材２０を取り外すことができなくなるため、コンセント２００の無断使用する盗電行為を効果的に防止することができる。
【００３７】
また、盗電防止装置１を取り付けたコンセント２００から、差込みプラグＰを引き抜く場合、鍵Ｒを外して、第１板状部材２０を前方にスライドさせることで、コンセント２００の差込み口２３１の下側を開放させて差込みプラグＰを引き抜くことができる。
また、盗電防止装置１が取り付けられたコンセント２００に差込みプラグＰを差し込む場合についても、鍵Ｒの開閉操作と、第１板状部材２０のスライド操作という簡単な作業を行うだけで差込みプラグＰを差し込むことができる。
すなわち、第１実施形態によれば、工具（ドライバーやレンチ等）を使った面倒な作業をすることなく、コンセント２００への差込みプラグＰの着脱ができるため、使い勝手のよい盗電防止装置１が提供される。
【００３８】
以上、説明したように、本発明の第１実施形態によれば、簡単な作業でコンセント２００に取り付けることができると共に、差込みプラグＰの着脱を簡単に行うことができる盗電防止装置１を提供することができる。
なお、本発明の第１実施形態は、上述した構造に限定されるものではなく、その要旨の範囲内のおいて種々の変形が可能である。
【００３９】
例えば、図６に示すように、盗電防止装置１のカバー部材１０の構造を変形するようにしてもかまわない。
図６は、本発明の第１実施形態の盗電防止装置の変形例を示した模式図である。
なお、図６に示す第１実施形態の変形例において、上述した第１実施形態のカバー部材１０と同じ構造については同じ符号を付し、その説明を簡略化する。
【００４０】
図６に示すように、第１実施形態の変形例のカバー部材４０は、後端にフランジ部４１が形成されている。また、カバー部材４０のフランジ部４１の上方の左右両側にそれぞれ、ビス用の孔４１ａ、４１ｃが形成され、下方の左右両側にそれぞれ、ビス用の孔４１ｂ（左側の孔は図示せず）が形成されている。
この構成により、コンセント２００（図１参照）のハウジング２３３にカバー部材４０を外嵌して、その後、フランジ部４１の孔４１ａ、４１ｂ、４１ｃにビス（図示せず）を挿通させ、構造物Ｗにビス止めすることにより、カバー部材４０をハウジング２３３に固定することができる。
なお、カバー部材４０は、フランジ部４１が形成されている以外は、第１実施形態のカバー部材１０と同じである。
【００４１】
このように第１実施形態の変形例においても、コンセント２００にカバー部材４０を取り付けると、その後は、工具（ドライバーやレンチ等）を使った面倒な作業をすることなく、コンセント２００への差込みプラグＰの着脱ができるため、使い勝手のよい盗電防止装置１が提供される。
【００４２】
次に、本発明の第２実施形態について図７を用いて説明する。
図７は、本発明の第２実施形態の盗電防止機能を備えたコンセントを示した斜視図である。
なお、図７に示す第２実施形態において、上述した第１実施形態と同じ構造については同じ符号を付し、その説明を簡略化する。
【００４３】
具体的には、本発明の第２実施形態は、コンセント５０のハウジング５１に、上述した第１実施形態の盗電防止装置１のカバー部材１０と同様の構造を設けることにより、コンセント５０自体に盗電防止機能を持たせるようにしたものである。
【００４４】
具体的には、図７に示すように、コンセント５０は、差込みプラグＰ用の差込み口２３１を有するコンセント部２３２と、差込み口２３１を下方に露出させてコンセント部２３２を収納・保持するハウジング５１と、ハウジング５１に着脱自在に取り付けられる第１板状部材２０とを備えている。
【００４５】
また、ハウジング５１は、差込み口２３１の前方および左右両側を取り囲み且つ下端に開口１３が形成している庇部５２と、その庇部５２の開口１３の左右両側の縁部に形成されたガイドレール１４とを備えている。そして、ガイドレール１４に第１板状部材２０を挿入してスライドさせることにより、前記開口１３を開閉できるようになされている。
なお、庇部５２は、前壁部５２ａと、前壁部５２ａの両端が直角に折り曲げられた側壁部５２ｂとを有し、断面視状でほぼコの字状に形成されている。
また、庇部５２の下端は、第１実施形態のカバー部材１０と同様、開口１３を介して、差込みプラグＰを差込み口２３１に挿入できるようになされている。
なお、庇部５２の前壁部５２ａには、孔１６が形成された舌片１５が設けられ、ガイドレール１４に第１板状部材２０が挿入されて取り付けられた場合に、孔１６および孔２３に鍵Ｒ（図４参照）を取り付けることができるようになされている。
【００４６】
このように、本発明の第２実施形態によれば、上述した第１実施形態と同様、ガイドレール１４に第１板状部材２０を挿入して取り付けることにより、コンセント２００の無断使用を防止することができる。
また、第２実施形態のコンセント５０によれば、上述した第１実施形態と同様、工具（ドライバーやレンチ等）を使った面倒な作業をすることなく、ガイドレール１４に、第１板状部材２０をスライド自在に着脱させるという簡単な作業により、コンセント２００に差込みプラグＰを挿入したり、コンセント２００から差込みプラグＰを取り外したりすることができる。
【００４７】
すなわち、第２実施形態によれば、差込みプラグＰの着脱を簡単に行うことができる盗電防止機能を備えたコンセント５０を提供することができる。
なお、本発明の第２実施形態は、上述した構造に限定されるものではなく、その要旨の範囲内のおいて種々の変形が可能である。
【００４８】
例えば、第２実施形態においても、第１実施形態と同様、ガイドレール１４に図１に示す第２板状部材３０を挿入して取り付けるようにしてもかまわない。
【符号の説明】
【００４９】
Ｗ      構造物
Ｐ      差込みプラグ
Ｐａ    電源コード
Ｒ      鍵
１      盗電防止装置
１０    カバー部材（盗電防止装置）
１０ａ  前面部（カバー部材（盗電防止装置））
１０ｂ  側面部（カバー部材（盗電防止装置））
１０ｃ  側面部（カバー部材（盗電防止装置））
１０ｄ  上面部（カバー部材（盗電防止装置））
１０ｅ  底面部（カバー部材（盗電防止装置））
１１、１２    作業用孔（カバー部材（盗電防止装置））
１３    開口（カバー部材（盗電防止装置））
１４    ガイドレール（カバー部材（盗電防止装置））
１５    舌片（カバー部材（盗電防止装置））
１６    孔（カバー部材（盗電防止装置））
２０    第１板状部材（盗電防止装置）
２１ａ、２１ｂ  切り欠き（第１板状部材（盗電防止装置））
２２    舌片（第１板状部材（盗電防止装置））
２３    孔（第１板状部材（盗電防止装置））
３０    第２板状部材（盗電防止装置）
３２    舌片（第２板状部材（盗電防止装置））
３３    孔（第２板状部材（盗電防止装置））
４０    カバー部材
４１    フランジ部
４１ａ、４１ｂ、４１ｃ  孔
５０    コンセント
５１    ハウジング
５２    庇部（ハウジング）
５２ａ  前壁部（庇部（ハウジング））
５２ｂ  側壁部（庇部（ハウジング））
２００  コンセント
２１０  取付プレート
２２０  防水部材
２３０  コンセント本体
２３１  差込み口
２３２  コンセント部
２３３  ハウジング
２４１、２４２  ネジ
【図１】
2010272265.tif 000003
【図２】
2010272265.tif 000004
【図３】
2010272265.tif 000005
【図４】
2010272265.tif 000006
【図５】
2010272265.tif 000007
【図６】
2010272265.tif 000008
【図７】
2010272265.tif 000009
【図８】
2010272265.tif 000010